(57)【要約】不快なアーティファクトをマスキングするシステムおよび方法であり、この方法は、携帯電話の使用中に明らかとなる不快なアーティファクトの予想レベルおよび原因を決定するために、携帯電話の設計上の特性を参照することによりスタートする。次に、不快なアーティファクトをマスクするのに必要なノイズを計算する。次に、携帯電話内でマスキングノイズ信号を発生し、これを不快なアーティファクトに重ねる。このマスキングノイズ信号は一般に疑似ノイズ発生器を使用し、携帯電話内に実装されたデジタル信号プロセッサ内で発生され、マスキングノイズ信号は携帯電話のデジタル信号プロセッサ（ＤＳＰ）内のルックアップテーブルとして記憶できる。マスキング方法の有効性を更に高めるために、不快なアーティファクトに最良に一致するようにマスキングノイズ信号をフィルタにかける。
2006500824.tif 000002
【特許請求の範囲】
【請求項１】
携帯電話の使用中に生じる不快なアーティファクトのレベルを測定する工程と、
前記不快なアーティファクトをマスクするのに必要なマスキングノイズのレベルを計算する工程と、
前記携帯電話内でマスキングノイズ信号を発生する工程と、
該マスキングノイズ信号を前記不快なアーティファクトに重ねる工程とを備えた、携帯電話における不快なアーティファクトをマスキングする方法。
【請求項２】
前記携帯電話内に実装されたデジタル信号プロセッサ（ＤＳＰ）内で前記マスキングノイズ信号を発生する、請求項１記載の方法。
【請求項３】
疑似ノイズ発生器を使用して前記携帯電話の前記デジタル信号プロセッサ（ＤＳＰ）内で前記マスキングノイズを発生する、請求項２記載の方法。
【請求項４】
前記携帯電話の前記デジタル信号プロセッサ（ＤＳＰ）内のルックアップテーブルとして、前記マスキングノイズ信号を記憶する、請求項２記載の方法。
【請求項５】
前記不快なアーティファクトに最良に一致するように前記マスキングノイズ信号をフィルタにかける工程を更に含む、請求項１記載の方法。
【請求項６】
前記不快なアーティファクトに最良に一致するように前記マスキングノイズ信号をフィルタにかける前記工程が、周波数のより低い不快なアーティファクトに対し前記マスキングノイズ信号をローパスフィルタにかけることを含む、請求項５記載の方法。
【請求項７】
前記不快なアーティファクトに最良に一致するように前記マスキングノイズ信号をフィルタにかける前記工程が、周波数のより高い不快なアーティファクトに対し前記マスキングノイズ信号をハイパスフィルタにかけることを含む、請求項５記載の方法。
【請求項８】
前記不快なアーティファクトに最良に一致するように前記マスキングノイズ信号をフィルタにかける前記工程が、前記不快なアーティファクトの中心周波数の前後で前記マスキングノイズ信号をバンドパスフィルタにかけることを含む、請求項５記載の方法。
【請求項９】
前記マスキングノイズ信号が前記不快なアーティファクトの周波数バンド幅に相関性のあるあらかじめ決定された周波数バンド幅内で発生されたバンド制限されたマスキングノイズ信号である、請求項１記載の方法。
【請求項１０】
前記バンド制限されたマスキングノイズ信号を前記携帯電話内に実装されたデジタル信号プロセッサ（ＤＳＰ）内で発生する、請求項９記載の方法。
【請求項１１】
疑似ノイズ発生器を使用し、前記バンド制限されたマスキングノイズ信号を前記携帯電話内に実装されたデジタル信号プロセッサ（ＤＳＰ）内で発生する、請求項１０記載の方法。
【請求項１２】
携帯電話の前記デジタル信号プロセッサ（ＤＳＰ）内のルックアップテーブルとして、前記バンド制限された前記マスキングノイズ信号を記憶する、請求項２記載の方法。
【請求項１３】
前記不快なアーティファクトの存在が一旦終了するときに、時間をかけて前記マスキングノイズをフェードアウトし、前記マスキング信号の急な消滅を防止する工程を更に含む、請求項１記載の方法。
【請求項１４】
位相がノイズ変調される数値制御発振器（ＮＣＯ）によって前記マスキングノイズ信号を発生し、付加的フィルタリングをすることなく、所望するバンド幅のマスキングノイズ信号を発生する、請求項１記載の方法。
【請求項１５】
ＮＣＯの振幅出力を制限し、不快なアーティファクトの高調波をマスクするための高調波を有する位相変調されたマスキングノイズ信号を発生する、請求項１４記載の方法。
【請求項１６】
高調波が前記不快なアーティファクトの高調波をマスクするのに所望する振幅を有するように、周期がノイズ変調されると共にパルス幅が一定デューティサイクルに調節された、繰り返しパルスによる前記マスキングノイズ信号を発生する、請求項１記載の方法。
【請求項１７】
携帯電話の使用中に生じる不快なアーティファクトのレベルを測定するための手段と、
前記不快なアーティファクトをマスクするのに必要なマスキングノイズのレベルを計算するための手段と、
前記携帯電話内でマスキングノイズ信号を発生するための手段と、
該マスキングノイズ信号を前記不快なアーティファクトに重ねるための手段とを備えた、携帯電話における不快なアーティファクトをマスキングするためのシステム。
【請求項１８】
前記携帯電話内に実装されたデジタル信号プロセッサ（ＤＳＰ）内で前記マスキングノイズ信号を発生するための手段を更に備えた、請求項１７記載のシステム。
【請求項１９】
疑似ノイズ発生器を使用して前記携帯電話の前記デジタル信号プロセッサ（ＤＳＰ）内で前記マスキングノイズを発生するための手段を更に備えた、請求項１８記載の方法。
【請求項２０】
前記携帯電話の前記デジタル信号プロセッサ（ＤＳＰ）内のルックアップテーブルとして、前記マスキングノイズ信号を記憶するための手段を更に備えた、請求項１８記載のシステム。
【請求項２１】
前記不快なアーティファクトに最良に一致するように前記マスキングノイズ信号をフィルタにかけるためのシステムを更に備えた、請求項１７記載のシステム。
【請求項２２】
前記不快なアーティファクトに最良に一致するように前記マスキングノイズ信号をフィルタにかけるための前記手段が、周波数のより低い不快なアーティファクトに対し前記マスキングノイズ信号をローパスフィルタにかけるための手段を含む、請求項２１記載のシステム。
【請求項２３】
前記不快なアーティファクトに最良に一致するように前記マスキングノイズ信号をフィルタにかけるための前記手段が、周波数のより高い不快なアーティファクトに対し前記マスキングノイズ信号をハイパスフィルタにかけるための手段を含む、請求項２１記載のシステム。
【請求項２４】
前記不快なアーティファクトに最良に一致するように前記マスキングノイズ信号をフィルタにかけるための前記手段が、前記不快なアーティファクトの中心周波数のまわりで前記マスキングノイズ信号をバンドパスフィルタにかけるための手段を含む、請求項２１記載の方法。
【請求項２５】
前記マスキングノイズ信号が前記不快なアーティファクトの周波数バンド幅に相関性のあるあらかじめ決定された周波数バンド幅内で発生されたバンド制限されたマスキングノイズ信号である、請求項１７記載のシステム。
【請求項２６】
前記バンド制限されたマスキングノイズ信号を前記携帯電話内に実装されたデジタル信号プロセッサ（ＤＳＰ）内で発生する、請求項２５記載の方法。
【請求項２７】
疑似ノイズ発生器を使用し、前記バンド制限されたマスキングノイズ信号を前記携帯電話内に実装されたデジタル信号プロセッサ（ＤＳＰ）内で発生する、請求項２６記載のシステム。
【請求項２８】
携帯電話の前記デジタル信号プロセッサ（ＤＳＰ）内のルックアップテーブルとして、前記バンド制限された前記マスキングノイズ信号を記憶する、請求項１８記載のシステム。
【請求項２９】
前記不快なアーティファクトの存在が一旦終了するときに、時間をかけて前記マスキングノイズをフェードアウトし、前記マスキング信号の急な消滅を防止する工程を更に含む、請求項１７記載のシステム。
【請求項３０】
不快なアーティファクトを発生するスイッチングレギュレータを駆動するための繰り返し信号を発生し、
スイッチングレギュレータ自身のマスキングノイズ信号を発生するように前記繰り返し信号を位相変調することにより、前記マスキングノイズ信号を発生する、請求項１７記載のシステム。
【発明の詳細な説明】
【技術分野】
【０００１】
本発明は携帯電話に関し、より詳細には、携帯電話における不快な音響アーティファクトを除去する技術に関する。
【背景技術】
【０００２】
携帯電話はこの電話の音響システムの部品ではない携帯電話内の構成部品から生じた、小さいが不快な音響アーティファクトの影響を受け易い。この不快な音響アーティファクトの原因の一例として、携帯電話のディスプレイをバックライト照明するために使用されるエレクトロルミネッセント（ＥＬ）パネルから生じるアーティファクトを挙げることができる。別の原因例は、ＴＤＭＡタイプのＲＦ通信デバイスから生じる所定のパルスに関係している。これらアーティファクトは低レベルでも特に不快感を与え得る。改善された実際の設計によれば、携帯電話内部に捕獲されたミツバチのように一般に聞こえるこれら不快なアーティファクトを低減できるが、完全に除去することはできない。
【発明の開示】
【発明が解決しようとする課題】
【０００３】
これまで携帯電話の機械的および／または音響的設計を複雑にすることなく、不快なアーティファクトの問題を解決する方法はなかった。このような性質の設計上の解法は、コストをかけ、長い製品開発時間をかけなければ達成できず、低い性能の結果しか得られないことが多い。しかしながら、不快なアーティファクトに対抗するように作用しうるマスキングノイズを発生するために、携帯電話の機械的特性を変更することは困難であるが、デジタル信号プロセッサ（ＤＳＰ）のソフトウェアコードの数種のラインを変更することは比較的容易である。
【０００４】
携帯電話の設計を複雑にしなくても、携帯電話における不快なアーティファクトをマスクする方法が求められている。
【課題を解決するための手段】
【０００５】
本発明は、携帯電話における不快なアーティファクトを完全に除去しようとするのではなく、不快なアーティファクトが携帯電話のユーザーによって検知できないように、適当に構成された低レベルのマスキングノイズにより不快なアーティファクトをマスクしようとするものである。ＤＳＰはコストを大きく増加することなくアーティファクトのサンプルを得ることはできないので、アーティファクトを除去するのにＤＳＰを使用することは実用的でないことが多い。
【０００６】
本発明は携帯電話における不快なアーティファクトをマスキングするシステムおよび方法にある。この方法は、携帯電話の使用中に明らかとなる不快なアーティファクトの予想レベルおよび原因を決定するために、携帯電話の設計上の特性を参照することによりスタートする。次に、不快なアーティファクトをマスクするのに必要なノイズを計算する。次に、携帯電話内でマスキングノイズ信号を発生し、これを不快なアーティファクトに重ねる。
このマスキングノイズ信号は一般に疑似ノイズ発生器を使用し、携帯電話内に実装されたデジタル信号プロセッサ内で発生され、マスキングノイズ信号は携帯電話のデジタル信号プロセッサ（ＤＳＰ）内のルックアップテーブルとして記憶できる。
【０００７】
マスキング方法の有効性を更に高めるために、不快なアーティファクトに最良に一致するようにマスキングノイズ信号をフィルタにかける。このマスキングノイズ信号は周波数がより低い不快なアーティファクトに対してはローパスフィルタにかけてもよいし、周波数のより高い不快なアーティファクトに対してはハイパスフィルタにかけてもよい。もしくは、周波数に関係なく、不快なアーティファクトに対してマスキングノイズ信号をバンドパスフィルタにかけてもよい。
【０００８】
別の実施例では不快なアーティファクトの周波数バンド幅に相関化された、あらかじめ決定された周波数バンド幅内のバンド幅制限されたマスキングノイズ信号として、このマスキングノイズ信号を発生してもよい。この実施例では、ノイズマスキング信号はあらかじめフィルタにかけられており、信号発生後、フィルタにかける必要はない。
【実施例】
【０００９】
ノイズマスキング信号のバンド幅が元のアーティファクトの周波数を中心とするか、またはこれよりも若干低い場合、アーティファクトのパワーに匹敵する１００Ｈｚあたりのパワー密度を有するノイズマスキング信号を重ねることにより、不要なアーティファクトの有効なマスキングを達成できることが証明された。ノイズマスキング信号のバンド幅は元のアーティファクトの中心周波数を中心として１５〜２０％にすべきである。このバンド幅は携帯電話のノイズマスキング用に１０％まで小さくできる。
【００１０】
本発明は既に携帯電話に存在する好ましくはデジタル信号プロセッサ（ＤＳＰ）内のソフトウェアによって一般に実現される。このＤＳＰは携帯電話の送受信パスの双方における音響処理に使用されている。ＤＳＰのソフトウェアによる実現例は、携帯電話の物理的または電気的設計を変えることなく、不快なアーティファクトをマスクするという目標を達成できる。
【００１１】
本発明は携帯電話における不快なアーティファクトに対する適当に構成されたマスキングノイズを実現するための２つの方法を提供するものである。第１の方法は、人工的に発生されたホワイトノイズまたはピンクノイズをフィルタにかけるものであり、第２の方法は、目標とするバンド幅においてマスキングノイズ信号を発生するものである。更に、ＥＬパネルの発振器のドライブ信号を変更することにより、後者の方法の若干変形したバージョンを携帯電話に組み込むことができる。
【００１２】
本発明の目的のために、マスキングノイズと他の信号との相関性がゼロとなるような信号としてマスキングノイズを定める。かかる信号は一般にホワイトノイズと称されている。他のシステムと同じように、人は可聴な一定のバンド幅を有する。従って、１／バンド幅（約１／１５ｋＨｚ＝６７μ秒）よりも長い遅延時間に対して自己相関性が極めて小さくなるように、上記マスキングノイズの定義を緩和できる。かかるバンド制限されたマスキングノイズ信号はピンクノイズと称される。メモリが限られているか、またはある遅延時間におけるタイミングが不正確な（人を含む）システムに対して、マスキングノイズの定義の更なる緩和が存在する。従って、１／バンド幅（約４ｋＨｚ＝２５０μ秒）よりも長い遅延時間に対して自己相関性が極めて小さくなるように、マスキングノイズ信号を緩和できる。５０μ秒よりも短い期間に対して（３％未満の）低い相関性が存在する限り、マスキングノイズ信号をノイズのように解釈する。
【００１３】
緩和されたマスキングノイズの定義によって本発明が使用するマスキングノイズを発生するための疑似ノイズ発生器を使用することが可能となる。疑似ノイズ発生器は一般に携帯電話内にテストデバイスとして実装されているので、このことは有利である。
【００１４】
代表的な２つの疑似ノイズ発生モデルは、疑似ノイズ９（ｐｎ９）発生器と疑似ノイズ１３（ｐｎ１３）発生器と称されている。ｐｎ９発生器は（Ｘ０＋Ｘ４）のような多項式を満足するフィードバックを有する９ビットのシフトレジスタとして記述できる。しかしながら、本発明に影響することなく置換できる周知の他の多項式もある。
【００１５】
図１はマスキングノイズを発生するのに使用できるｐｎ９シフトレジスタを示す。最初にレジスタにはすべてゼロが含まれていてはならない。しかしながら、他の初期値は問題ない。「＋」の演算子１０は排他的ＯＲ（ＸＯＲ）関数である。クロックパルス（図示せず）によって駆動されるレジスタ１２は、遅延時間＝０（この場合、自己相関値＝５１１である）を除く｜１｜以下の自己相関値でランダム状に１〜５１１（２９−１）のどの値もとる。従って、ｐｎ９シフトレジスタ１２はノイズ状である。このｐｎ９シフトレジスタ１２が上記値を通って周期動作した後に、同じ動作を繰り返す。
【００１６】
レジスタのコンテントは代表的な携帯電話の音響サンプルレートである８ｋｓｂｓ（毎秒のキロサンプル）における音響サンプルの値と見なすことができ、これらコンテントはデジタル−アナログコンバータに印加され、このコンバータの次に４ｋＨｚ以下のローパスフィルタが接続されている。この結果生じる音は雨、海岸の波または滝の音とは異なる音になる。
【００１７】
８ｋｓｂｓで作動するｐｎ９疑似ノイズは約６４ミリ秒の繰り返しレートを有するほとんど区別できないバズ音を有し、この繰り返しレートは５０ミリ秒のスレッショルドに対する限界である。ｐｎ１３発生器は８ｋｓｂｓで１.０２秒ごとに繰り返し、人は理想的なピンクノイズと区別できない。ＤＳＰは一般に６ビットの代数演算回路を使用するので、ＤＳＰは追加することなく、ｐｎ１５発生器を使用できる。しかしながら、ｐｎ９発生器は十分小さいので、ソフトウェアを実行するためのルックアップテーブルとして経済的に実現できる。関係する不快なアーティファクトは低レベルであるのでこれで十分である。図１に示されるようなシフトレジスタおよびフィードバックとして、ハードウェアで実現するのにｐｎ９、ｐｎ１３、ｐｎ１５または１５よりも大きいｐｎを実現するためのコストはほとんどかからない。従って、相関値が小さいことに起因し、ｐｎ９疑似ノイズ発生器ではなく、ｐｎ１３およびそれよりも大きい疑似ノイズ発生器が使用される。
【００１８】
レジスタの値が振幅スケーリングされたノイズ信号の瞬間値を示す疑似ノイズ発生器を使用する場合、マスキングノイズのための最も望ましいスペクトルを派生するのに１つのバンドパスフィルタまたはハイパスフィルタとローパスフィルタとの組み合わせにより、マスキングノイズをデジタル式にフィルタで除去することが可能である。
【００１９】
不快なアーティファクトの一部のタイプの発生源として、携帯電話のディスプレイをバックライトするのに使用されるＥＬパネルおよびＥＬパネルに必要とされる高電圧を供給するのに使用されるＨＶコイルからの妨害波を挙げることができる。不快なアーティファクトはパルスレートが音響周波数バンド内にあり、その倍数の高調波を有する音響周波数バンド内にあるＧＳＭおよび／またはＴＤＭＡ携帯電話の送信パス内にも発生し得る。電源およびＲＦエンベロープ検出結合を通しても不快なアーティファクトが生じ得る。かかるケースではコード化のためにＤＳＰに入力される音響内に不快なアーティファクトが存在する。従って、コード化前に、かつ送信機が最大パワーとなっているときにマスキングノイズが加えられる。
【００２０】
不快なアーティファクトは携帯電話の設計段階中に検出できる。更に不快なアーティファクトは比較的一定のままである。従って、通常の携帯電話の使用中に生じると予想される不快なアーティファクトを決定すれば、不快なアーティファクトをマスクするのに必要なマスキングノイズをあらかじめ計算できる。その後、携帯電話の使用中の適当な時間に適当なバンド幅のマスキングノイズを導入するように、携帯電話のＤＳＰをプログラムすることができる。
【００２１】
図２は本発明を実施した携帯電話の機能部品の一部のブロック図を示す。アンテナ２２はＲＦ信号を無線受信機２４に供給し、無線受信機２４は着信信号をデコードし、逆フォーマット化し、これをＤＳＰ２６へ転送する。ＤＳＰ２６はスピーチ再現部品２８と、ノイズマスキング部品３０とを含む。これら部品の各々は無線受信機２４からの同じ入力信号を受信する。ＤＳＰ２６は種々の電子結合機構、例えばアースループ（ｇｒｏｕｎｄ  ｌｏｏｐ）、電源カップリングなどから生じた不要な電子結合アーティファクト３２も受信し得る。携帯電話から生じ得る不快なアーティファクトの別の発生源（ＤＳＰへの入力を除く）としてＥＬパネル３４の妨害信号またはＨＶコイル３６の妨害信号を挙げることができる。これら不快なアーティファクトは設計段階中にあらかじめ計算されており、既知であると見なされる。従って、ＤＳＰ２６がこれら信号を直接受信しなくても、これら信号は不快なアーティファクトの予想されるソースであるので、ＤＳＰはこれら信号に対するノイズマスキングを実行できる。
【００２２】
ＤＳＰ２６は通常のスピーチ再生処理２８を実行し、携帯電話のスピーカー２８を介して、処理の結果生じた音響信号を出力する。ＤＳＰ２６は予想される不快なアーティファクトに対するノイズマスキングを実行する。この結果、スピーチ再生信号に重ねることができるノイズマスキング信号が生じる。次に、スピーカーの出力は不快な音響アーティファクトを有効にマスクし、これらアーティファクトが携帯電話のユーザーに聞こえないようにする。
【００２３】
不快なアーティファクトの原因がＥＬパネルから生じている場合、ＥＬパネルの電源がオンにされたときにマスキングノイズを加え、ＥＬパネルの電源がオフにされた直後にマスキングノイズがゼロにフェードアウトされる。急に電源をオフにするとマスキングノイズ自身がより明瞭となるので、数秒にわたるフェードアウトが必要である。
【００２４】
アーティファクトをより気づきにくいようにしようとする方法として、最も気が付きにくい方法でマスキングノイズを導入するための好ましい方法がある。上で指摘したように、不快なアーティファクトにスペクトル的に近いノイズ、好ましくはアーティファクトの周波数を中心とするか、またはそれよりも若干低いマスキング効果が得られる。従って、図３に示されるように、図２におけるノイズマスキング機能３０を更に分解することができる。
【００２５】
ノイズマスキング機能３０は不快なアーティファクトをマスクするのに必要なレベルでノイズを発生するホワイトノイズ発生器４２を含む。このホワイトノイズ発生器４２は前に説明したのと同じような疑似ノイズ発生器とすることができる。次に、ホワイトノイズはスペクトルフィルタ４４まで送られ、このノイズは不快なアーティファクトの周波数およびバンド幅に特に適用できる。次に、フィルタにかけられたノイズ信号は不快なアーティファクトに対する最良のマスキング効果を奏するよう、利得調節４６される。スペクトルフィルタ４４は１００Ｈｚの大きさのバンドパスフィルタ、ローパスフィルタ、ハイパスフィルタまたはフラットな伝達関数フィルタでよい。位相ひずみおよび群遅延はユーザーのノイズの知覚には影響しない。バンドパスフィルタは最良のノイズマスキングの結果を与え、その後、（マスクすべきアーティファクトの周波数およびバンド幅に応じて決まる）ローパスフィルタまたはハイパスフィルタのいずれか、もしくは平坦な伝達関数フィルタにかけられる。
【００２６】
図４はノイズを加え、次にフィルタにかける携帯電話における不快なアーティファクトをマスキングする方法を示すフローチャートである。この方法は、実際には携帯電話の設計段階で開始する。この設計の時点において、携帯電話に実装される電子部品の特性だけでなく、それらの物理的配置もコンピュータモデルに入力される。コンピュータモデルは携帯電話の運用５０中に生じる予想される不快なアーティファクトを計算できる。これら計算は、不快なノイズの特性、例えば不要なアーティファクトの周波数、バンド幅および近似強度（これらだけに限定されるものではない）を与える。一旦既知となると、ＤＳＰでワイドバンドのマスキングノイズを発生５２できる。疑似ノイズ発生器を使用することを含む多数の方法で、ワイドバンドのマスキングノイズを発生できる。更にＤＳＰのスループット特性およびマスキング方法に対する所望レベルの有効性に応じ、ワイドバンドのノイズ信号をＤＳＰ上のルックアップテーブルとして記憶できる。次に、不快なアーティファクトをできるだけ多くマスクするように、ワイドバンドのマスキングノイズをフィルタにかける（５４）。フィルタリングは、不快なアーティファクトをマスクするのに、強度、周波数およびバンド幅の点で最良に適した波形となるように、ワイドバンドのマスキングノイズを操作することを含む。一旦フィルタリングされたマスキングノイズが形成されると、ＤＳＰは不快なアーティファクト５６にマスキングノイズ信号を重ね、不快なアーティファクトを最小にする所望する効果を得る。
【００２７】
図５は、既に必要なバンド幅で存在するマスキングノイズがＤＳＰで形成される場合の、携帯電話における不快なアーティファクトをマスクする方法を示すフローチャートである。この図５の方法は、マスキングノイズを当該ノイズスペクトル内でまず形成するという点で、図４の方法と異なっている。従って、マスキングノイズ信号は既に不快なアーティファクトに一致しているので、図４におけるフィルタリング工程が不要である。この方法は、不快なノイズの特性５０を決定する工程と、固有のバンド幅の限られたマスキングノイズ５８を形成する工程と、不快なアーティファクト５６にバンド幅が限られたマスキングノイズを重ねる工程とに縮小される。
【００２８】
本発明を良好に説明するために、マスキング方法を示すよう、任意の不快なアーティファクトを示す。この不快なアーティファクト自身は図６に示されるような１ｋＨｚのサイン波である。図７は携帯電話で一般に発生し得るノイズに等価的な追加マスキングノイズのスペクトルを示す。このケースでは、コーデックは４ｋＨｚ以上の音を再生できないので、ノイズは４ｋＨｚより上で小さくなると見なされる。不快なアーティファクトを目立つようにするために、スペクトルアナライアザのバンド幅は〜１０Ｈｚに設定されている。スペクトルアナライアザのバンド幅を〜１００Ｈｚとした場合、不快なアーティファクトは図７のグラフではほとんど見ることはできない。
【００２９】
マスキングノイズを発生し、これをフィルタにかける実現例（図４）に対し、フィルタリング前に追加されるマスキングノイズのほうがマスクのために重ねられる不快なアーティファクトよりも大きく聞こえることがある。マスキングノイズのレベルは不快なアーティファクトが等価的パスバンド内で相対的に高いか、または低いかに応じて、マスキングノイズをハイパスするか、ローパスするかにより縮小できる。図６に示される１ｋＨｚのアーティファクトに対し、マスキングノイズをローパス処理することはマスキングノイズレベルを低減する上でハイパス処理するよりもより効果的である。このことは、約１.１ｋＨｚで設定されるローパスフィルタが示されている図８に図示されている。ローパスフィルタにより１.１ｋＨｚを越えるノイズマスキング信号は認められない。
【００３０】
図９は、バンドパスフィルタリング（この例に対する最適なケース）を示す。ここでノイズマスキング信号のバンド幅は、２００Ｈｚであり、その中心は１ｋＨｚのサイン波の不快なアーティファクトにある。該フィルタリングは１ｋＨｚのサイン波の不快なアーティファクトに同じ量のノイズエネルギーを送る。ノイズマスキングは最小の追加エネルギーで有効である。従って、不快なアーティファクトをマスクするのに最良の方法は、そのアーティファクトに集中された形状で、アーティファクトと同じパワーを有し、幅が１００Ｈｚのマスキングノイズを用いる方法である。
【００３１】
多数の妨害アーティファクトを受けるケースでは、高調波が関連するか、または関連しない、ほぼ同じ振幅のいくつかのアーティファクトが存在する場合があり得る。これについては代表的なＥＬパネルおよびＲＦ誘導される携帯電話の不快なアーティファクトを示す図１０のグラフに示されている。この例では、７５０、１２５０および１７５０Ｈｚの最初の３つのアーティファクトだけがユーザーに聞こえやすいようになっている。これらはすべて基本的な２５０Ｈｚの発振信号の奇数の高調波であり、代表的なＥＬパネルシステムにおいて不快なアーティファクトを発生するプロセスの特徴となっている。その他の不快なアーティファクトの原因は異なるスペクトルを有し得る。不快な各アーティファクトに対し、フィルタリングされたノイズを発生することは面倒なことであり、先に述べたように発生した場合、より多くのＤＳＰのパワーを消費することになる。
【００３２】
図１１を参照すると、位相アキュムレータ１０２およびサイン波のルックアップテーブル１０４から形成される数値制御発振器（ＮＣＯ）を形成することにより、適当なバンド制限されたマスキングノイズを発生できる。このことは、ＤＳＰシステムで一般的に行われていることである。これとは異なり、一旦開始されると、一定の振幅および周波数で発振を維持できるようになっている２ステージのフィードバックデジタルフィルタにより、所定周波数のサイン波を発生してもよい。
【００３３】
マスキングのために発生されるホワイトノイズを適当にスケーリング１０６し、これを一定位相増分回路１０８に加える１１０。このノイズは位相アキュムレータ１０２に対する入力信号となり、その結果、一定の振幅を有する位相変調されたノイズが生じる。この結果、図１２に示されるようなマスキングノイズスペクトルが得られる。このマスキングノイズスペクトルはバンドパスされた位相ノイズに類似するが、多少広くなっている。この技術は、必要なマスキングノイズのパワーを大幅に低減し、最も必要とされる場所にパワーを集中できる。
【００３４】
この技術は各アーティファクトに対するマスキングノイズの発生器を集合させるのに使用できる。これとは異なり、サイン波テーブルをサイン波の圧縮またはクリッピングされたバージョンに置換することもできる。いずれの方法においても、不快な妨害アーティファクトの高調波に一致するように、位相ノイズ発振器は高調波を発生できる。
【００３５】
このようなマスキングノイズを発生する技術は更に別の技術を示唆している。ＥＬパネル発振器（またはその他の妨害ソース）はそれ自身をノイズ変調できる。ＥＬ設計が可能であることを条件に、ＥＬパネルの駆動回路のタイミングを与える発振器は、上記の態様またはノイズマスキング妨害回路が自らの位相／タイミングノイズ変調を発生できるような他の自ら明らかないくつかの態様でノイズ変調してもよい。
【００３６】
本明細書では、携帯電話に関連して本発明について説明したが、「携帯電話」なる用語はマルチラインディスプレイを有するか、または有しないセルラー無線電話；データ処理、ファクシミリおよびデータ通信機能とセルラー電話とを組み合わせることができるパーソナル通信システム（ＰＣＳ）ターミナル；無線電話、ページャー、インターネット／イントラネットアクセス、ウェブブラウザ、オーガナイザー、カレンダーおよび／または全地球測位システム（ＧＰＳ）受信機を含むことができるパーソナルデジタルアシスタント（ＰＤＡ）；ＧＵＩのためのディスプレイを含む従来のラップトップおよび／またはパームトップ受信機またはその他のコンピュータシステムを含むことができる。携帯電話は「普及計算」デバイスとも称すこともできる。
【００３７】
以上で、本発明の特定の実施例について開示した。当業者であれば、本発明は他の環境における別の用途を有し得ることが容易に理解できよう。実際に多くの実施例および実現例が可能である。特許請求の範囲は本発明の範囲を上記特定の実施例のみに限定するものではない。更に「〜のための手段」なる記載は要素および請求の範囲のミーンズプラスファンクションを請求するものであり、「〜のための手段」なる記載を特に使用しない要素は、特にクレームが「手段」なる用語を含む場合でも、ミーンズプラスファンクション要素として理解すべきではない。
【図面の簡単な説明】
【００３８】
【図１】疑似ノイズ発生器のシフトレジスタの図である。
【図２】本発明の機能部品を示すブロック図である。
【図３】図１のデジタル信号プロセッサ（ＤＳＰ）内のノイズ発生機能のブロック図である。
【図４】携帯電話のユーザーが認識できる不快なアーティファクトをマスクするためのフローチャートの一例を示す。
【図５】携帯電話のユーザーが認識できる不快なアーティファクトをマスクするためのフローチャートの別の例を示す。
【図６】１ｋＨｚのサイン波トーンとしての不快なアーティファクトのサンプルを示す。
【図７】追加フィルタにかけないでマスクされた１ｋＨｚのサイン波トーンを示す。
【図８】ローパスフィルタにかけられたワイドバンドノイズを使用してマスクされた１ｋＨｚのサイン波トーンを示す。
【図９】バンドパスフィルタにかけられたワイドバンドノイズを使用してマスクされた１ｋＨｚのサイン波トーンを示す。
【図１０】多数の高調波を含む不快なアーティファクトの一サンプルを示す。
【図１１】多数の高調波を有する不快なアーティファクトに対して適当なマスキングノイズを発生するのに使用される、数値制御された発振器のブロック図である。
【図１２】数値制御発振器により発生されたノイズを使用してマスクされた多数の高調波を含む不快なアーティファクトの一サンプルを示す。
【図１】
2006500824.tif 000003
【図２】
2006500824.tif 000004
【図３】
2006500824.tif 000005
【図４】
2006500824.tif 000006
【図５】
2006500824.tif 000007
【図６】
2006500824.tif 000008
【図７】
2006500824.tif 000009
【図８】
2006500824.tif 000010
【図９】
2006500824.tif 000011
【図１０】
2006500824.tif 000012
【図１１】
2006500824.tif 000013
【図１２】
2006500824.tif 000014
【国際調査報告】
2006500824.tif 000015
2006500824.tif 000016
2006500824.tif 000017